(57)【要約】【課題】操作面に対するタッチ操作と押圧操作とを明確に区別し、使用者の意図に反した誤動作を防止できるようにする。【解決手段】操作面へのタッチを検出するタッチ検出手段と、前記操作面への押圧を検出する圧力検出手段と、前記操作面へのタッチ操作に応じて第１の処理を実行し、前記操作面への押圧操作に応じて前記第１の処理とは異なる第２の処理を実行し、前記圧力検出手段で閾値を超える変化率で前記操作面への押圧の変化を検出した場合、前記第１の処理の実行を制限するように制御する制御手段と、を有する。【選択図】図３
2019215799.tif 000002
【特許請求の範囲】
【請求項１】
操作面へのタッチを検出するタッチ検出手段と、
前記操作面への押圧を検出する圧力検出手段と、
前記操作面へのタッチ操作に応じて第１の処理を実行し、前記操作面への押圧操作に応じて前記第１の処理とは異なる第２の処理を実行し、
前記圧力検出手段で閾値を超える変化率で前記操作面への押圧の変化を検出した場合は、前記第１の処理の実行を制限するように制御する制御手段と、
を有することを特徴とする電子機器。
【請求項２】
操作面へのタッチを検出するタッチ検出手段と、
前記操作面への押圧を検出する圧力検出手段と、
前記タッチ検出手段で前記操作面へのタッチを検出し、かつ前記圧力検出手段で閾値を超える変化率で前記操作面への押圧の変化が検出されない場合には、タッチ操作に応じた第１の処理を実行し、
前記圧力検出手段で閾値を超える押圧を検出したことに応じて、前記第１の処理とは異なる第２の処理を実行し、
前記タッチ検出手段で前記操作面へのタッチを検出し、かつ前記圧力検出手段で閾値を超える変化率で前記操作面に対する押圧の変化を検出した場合には、前記第１の処理を実行しないように制御する制御手段と、
を有することを特徴とする電子機器。
【請求項３】
前記制御手段は、前記タッチ検出手段が前記操作面へのタッチを検出してから所定の時間が経過するまでは、前記操作面に対する押圧の変化にかかわらず前記第１の処理を行わないようにすることを特徴とする請求項１または２に記載の電子機器。
【請求項４】
前記タッチ検出手段が前記操作面へのタッチを検出してから所定の時間が経過するまでに、前記圧力検出手段が前記操作面への押圧を検出しなかった場合に、前記制御手段は、前記第１の処理を行うことを特徴とする請求項３に記載の電子機器。
【請求項５】
前記第１の処理は、前記操作面に対してタッチされた位置に基づいて行われる処理であることを特徴とする請求項１〜４の何れか１項に記載の電子機器。
【請求項６】
前記第１の処理は、前記操作面に対してタッチされた位置の移動に基づいて行われる処理であることを特徴とする請求項５に記載の電子機器。
【請求項７】
前記第１の処理はアイテムを選択する処理で、前記第２の処理は前記選択されたアイテムの詳細表示であることを特徴とする請求項５または６に記載の電子機器。
【請求項８】
前記第１の処理は拡大位置を指定する処理で、前記第２の処理は前記指定された位置での拡大表示を行う処理であることを特徴とする請求項５または６に記載の電子機器。
【請求項９】
前記第１の処理は再生位置を指定する処理で、前記第２の処理は前記指定された位置から動画を再生する処理であることを特徴とする請求項５または６に記載の電子機器。
【請求項１０】
前記第１の処理は音量を増減する処理で、前記第２の処理は音楽を再生する処理であることを特徴とする請求項５または６に記載の電子機器。
【請求項１１】
前記第１の処理は文字を入力する処理で、前記第２の処理はカーソルを移動させる処理であることを特徴とする請求項５または６に記載の電子機器。
【請求項１２】
前記第１の処理は文字を入力する処理で、前記第２の処理は文字入力モードを切り替える処理であることを特徴とする請求項５または６に記載の電子機器。
【請求項１３】
前記第１の処理は焦点調節位置を選択する処理で、前記第２の処理は選択された焦点調節位置でオートフォーカスを実行する処理であることを特徴とする請求項５または６に記載の電子機器。
【請求項１４】
前記第１の処理は焦点調節位置を選択する処理で、前記第２の処理は静止画の撮影を実行する処理であることを特徴とする請求項５または６に記載の電子機器。
【請求項１５】
前記電子機器は、把持部を備えた撮像装置であり、
前記タッチ検出手段は、前記把持部を把持する手の指が届く範囲にある操作面でのタッチを検出し、
前記圧力検出手段は、前記把持部を把持する手の指が届く範囲にある操作面での押圧を検出することを特徴とする請求項１３または１４に記載の電子機器。
【請求項１６】
前記操作面は、前記把持部を把持する手の人差し指で操作可能な位置であり、前記撮像装置の上面に備えられていることを特徴とする請求項１５に記載の電子機器。
【請求項１７】
操作面へのタッチを検出するタッチ検出工程と、
前記操作面への押圧を検出する圧力検出工程と、
前記操作面へのタッチ操作に応じて第１の処理を実行し、前記操作面への押圧操作に応じて前記第１の処理とは異なる第２の処理を実行し、
前記圧力検出工程で閾値を超える変化率で前記操作面への押圧の変化を検出した場合、前記第１の処理の実行を制限するように制御する制御工程と、
を有することを特徴とする電子機器の制御方法。
【請求項１８】
操作面へのタッチを検出するタッチ検出工程と、
前記操作面への押圧を検出する圧力検出工程と、
前記タッチ検出工程で前記操作面へのタッチを検出し、かつ前記圧力検出工程で閾値を超える変化率で前記操作面への押圧の変化が検出されない場合には、タッチ操作に応じた第１の処理を実行し、
前記圧力検出工程で閾値を超える押圧を検出したことに応じて、前記第１の処理とは異なる第２の処理を実行し、
前記タッチ検出工程で前記操作面へのタッチを検出し、かつ前記圧力検出工程で閾値を超える変化率で前記操作面に対する押圧の変化を検出した場合には、前記第１の処理を実行しないように制御する制御工程と、
を有することを特徴とする電子機器の制御方法。
【請求項１９】
コンピュータを、請求項１〜１６の何れか１項に記載の電子機器の各手段として機能させるためのプログラム。
【請求項２０】
コンピュータを、請求項１〜１６の何れか１項に記載の電子機器の各手段として機能させるためのプログラムを記憶したコンピュータが読み取り可能な記憶媒体。
【発明の詳細な説明】
【技術分野】
【０００１】
本発明は、特に、タッチパネルに対するタッチ操作または押圧操作に応じた処理を行うために用いて好適な電子機器、電子機器の制御方法、プログラム及び記憶媒体に関する。
【背景技術】
【０００２】
従来、スマートフォンやデジタルカメラ等の電子機器は、画面を表示しながら直感的に操作できる利便性から、タッチパネルが搭載されたものが多い。このような電子機器では、例えば、タッチパネルに対して指やペンを接触させるタッチ、指やペンをタッチしたままタッチパネル表面上を移動するタッチムーブなどのタッチ操作が行われる。また、近年のタッチパネルを搭載した電子機器は、従来のタッチ、タッチムーブ等の操作に加えて、タッチパネルを指やペンで押す押圧操作が可能なものもある。
【０００３】
タッチ操作および押圧操作は、どれもタッチパネルに対して指やペンを接触させた状態で行う操作方法である。このことから、タッチとタッチムーブあるいはタッチと押圧操作とを判別できず、使用者の意図に反して誤動作してしまう場合がある。そのため、タッチパネルに指やペンを接触して行う各種操作方法を正確に判別できる電子機器が求められている。
【０００４】
特許文献１には、操作面に対するタッチによって増加する静電容量、および押圧操作によって変化する静電容量の増加速度および増加回数に応じて、タッチ操作および押圧操作に対するフィードバックを切り替えるスイッチ装置が開示されている。
【先行技術文献】
【特許文献】
【０００５】
【特許文献１】特開２０１７−８３９８７号公報
【発明の概要】
【発明が解決しようとする課題】
【０００６】
しかしながら、特許文献１に開示されたスイッチ装置では、タッチ操作と押圧操作とを明確に区別することができない場合がある。例えば、押圧操作を行う場合には、途中でタッチ操作を介して押圧を上げるため、押圧操作に応じた処理を行う前に、タッチ操作に応じた処理が意図せずに行われてしまう場合がある。
【０００７】
本発明は前述の問題点に鑑み、操作面に対するタッチ操作と押圧操作とを明確に区別し、使用者の意図に反した誤動作を防止できるようにすることを目的としている。
【課題を解決するための手段】
【０００８】
本発明に係る電子機器は、操作面へのタッチを検出するタッチ検出手段と、前記操作面への押圧を検出する圧力検出手段と、前記操作面へのタッチ操作に応じて第１の処理を実行し、前記操作面への押圧操作に応じて前記第１の処理とは異なる第２の処理を実行し、前記圧力検出手段で閾値を超える変化率で前記操作面への押圧の変化を検出した場合、前記第１の処理の実行を制限するように制御する制御手段と、を有することを特徴とする。
【発明の効果】
【０００９】
本発明によれば、操作面に対するタッチ操作と押圧操作とを明確に区別し、使用者の意図に反した誤動作を防止することができる。
【図面の簡単な説明】
【００１０】
【図１】実施形態における電子機器の内部構成例および外観構成例を示す図である。
【図２】静電容量出力値及び静電容量変化率の変化を示す図である。
【図３】タッチ操作及び押圧操作に伴う処理手順の一例を示すフローチャートである。
【図４】アイテムを選択する処理を処理１とし、選択したアイテムの詳細を表示する処理を処理２とした場合の具体例を説明するための図である。
【図５】拡大位置を指定する処理を処理１とし、指定した位置で拡大表示する処理を処理２とした場合の具体例を説明するための図である。
【図６】動画の再生開始位置を指定する処理を処理１とし、指定された位置から動画を再生する処理を処理２とした場合の具体例を説明するための図である。
【図７】文字の入力を実行する処理を処理１とし、カーソル移動を実行する処理を処理２とした場合の具体例を説明するための図である。
【図８】文字の入力を実行する処理を処理１とし、文字入力モードを切り替える処理を処理２とした場合の具体例を説明するための図である。
【図９】測距点を選択する処理を処理１とし、測距を実行する処理を処理２とした場合の具体例を説明するための図である。
【図１０】電子機器の一例である撮像装置の外観構成例を示す図である。
【発明を実施するための形態】
【００１１】
（第１の実施形態）
以下、図面を参照しながら本発明の実施形態に係る電子機器について説明する。なお、図１〜図９で共通する部分には同一の符号を付しており、その説明を適宜省略する。
【００１２】
図１（ａ）は、本実施形態における電子機器１００の内部構成例を示すブロック図である。図１（ａ）を用いて本実施形態における電子機器１００のシステム構成を説明する。
電子機器１００は、制御部１０１、電源スイッチ１０２、画像表示ボタン１０３、操作スイッチ１０４、メモリ１０５、記録媒体１０６、表示部１０７、タッチパネル１０８、および押圧センサ１０９を有する。
【００１３】
制御部１０１は、例えばＣＰＵ（中央演算処理装置）であって、電子機器１００全体を制御する。制御部１０１は、後述するタッチパネル１０８への押圧操作に応じて押圧センサ１０９が検出する静電容量の変化率を算出できるように構成されている。押圧センサ１０９が検出する静電容量の変化率については、図２を用いて後述する。
【００１４】
電源スイッチ１０２は、電子機器１００の電源をオンにしたり、オフにしたりする場合に使用者により押下される。画像表示ボタン１０３は、表示部１０７に画像やメニュー画面を表示する場合に使用者により押下される。操作スイッチ１０４は、各種設定をする場合に使用者により押下される。
【００１５】
メモリ１０５は、例えばＲＡＭ等の揮発性メモリであって、表示する画像データ、文字、図形等を一時的に記憶したり、制御部１０１の演算結果を一時的に記憶したりする。記録媒体１０６は、例えば半導体メモリ等の不揮発性メモリであって、制御に必要なデータやプログラムを記録したり、画像データを記録したりする。なお、記録媒体１０６は、電子機器１００に対して着脱可能であってもよい。
【００１６】
表示部１０７は、例えばＴＦＴであって、画像やメニュー画面等を表示する。タッチパネル１０８は、表示部１０７の表示面上に配置され、使用者の指やペン等によるタッチパネル１０８に対する接触あるいは接近を検出するタッチセンサである。タッチパネル１０８は、例えば抵抗膜方式や静電容量方式、表面弾性波方式、赤外線方式、電磁誘導方式、画像認識方式、光センサ方式等の様々な方式のうち、何れかの方式を用いることができる。タッチ検出を行う方式として、タッチパネル１０８に対する接触があったことでタッチがあったと検知する方式や、タッチパネル１０８に対する指やペンの接近があったことでタッチがあったと検知する方式がある。本実施形態では、タッチパネル１０８は静電容量方式であり、タッチパネル１０８に対する接触があったことで、制御部１０１はタッチパネル１０８に対してタッチがあったと判定する。
【００１７】
押圧センサ１０９は、表示部１０７の表示面下に配置され、使用者の指やペン等によるタッチパネル１０８に対する押圧操作を検出する。押圧センサ１０９は、例えば感圧検出方式、ひずみ検出方式、圧電方式、静電容量方式等の様々な方式のうち、何れかの方式を用いることができる。本実施形態では、押圧センサ１０９は静電容量センサであり、押圧センサ１０９に対する指やペンの距離に応じて静電容量出力値が変化した場合に押圧操作があったと検出する。
【００１８】
表示部１０７およびタッチパネル１０８は、表面を押圧すると撓む構成であり、表示部１０７およびタッチパネル１０８が撓んで押圧センサ１０９に対する指やペンの距離が縮まることで静電容量出力値が変化する。この静電容量出力値の変化を押圧センサ１０９が検出することによって、制御部１０１はタッチパネル１０８に対して押圧操作があったと判定する。
【００１９】
図１（ｂ）は、電子機器１００の外観構成例を示す図である。
電子機器１００は、中央に長方形の表示部１０７が位置し、表示部１０７の表示面へのタッチを検出できるようにタッチパネル１０８が配置されている。電子機器１００の横側には電源スイッチ１０２が配置され、表示部１０７の下側に操作スイッチ１０４が配置されている。
また、本実施形態の電子機器１００自体は一方向に長い形状となっているため、表示部１０７の形状も同様に同方向に長い長方形の形状となっている。
【００２０】
次に、タッチパネル１０８および押圧センサ１０９によって、制御部１０１が判定する操作および状態について説明する。制御部１０１は、タッチパネル１０８を介して使用者による以下の（ａ）〜（ｆ）の操作および状態を判定する。
（ａ）タッチパネル１０８にタッチしていなかった指やペンが新たにタッチパネル１０８にタッチしたこと。すなわち、タッチの開始（タッチダウンと称する）。
（ｂ）タッチパネル１０８を指やペンでタッチしている状態であること（タッチオンと称する）。
（ｃ）タッチパネル１０８を指やペンでタッチしたまま移動していること（タッチムーブと称する）。
（ｄ）タッチパネル１０８へタッチしていた指やペンを離したこと、すなわちタッチの終了（タッチアップあるいはタッチの解除と称する）。
（ｅ）タッチパネル１０８に何もタッチしていない状態であること（タッチオフと称する）。
（ｆ）タッチパネル１０８を指やペンで押圧している状態であること（押圧オンと称する）。
【００２１】
上述した（ａ）〜（ｆ）の操作および状態や、タッチパネル１０８上に指やペンがタッチしている座標位置は、内部バスを通じて制御部１０１に通知される。制御部１０１は、通知された情報に基づいてタッチパネル１０８上における使用者の操作を判定する。なお、制御部１０１は、タッチダウンを検出すると、同時にタッチオンも検出する。また、制御部１０１は、タッチダウンの後、タッチアップを検出しない限り、通常はタッチオンを検出し続ける。また、制御部１０１は、タッチムーブを検出している状態では、タッチオンも検出する。また、制御部１０１は、タッチオンを検出していても、座標位置が移動していなければタッチムーブを検出しない。さらに、制御部１０１は、タッチしていた全ての指やペンのタッチアップを検出した後は、タッチオフを検出する。タッチムーブについて、制御部１０１は、タッチパネル１０８上で移動する指やペンの移動方向についても、座標位置の変化に基づいて、タッチパネル１０８上の垂直成分・水平成分毎に判定できる。
【００２２】
また、制御部１０１は、タッチパネル１０８上をタッチダウンから一定のタッチムーブを経てタッチアップを検出したとき、ストロークを描いたと判定する。素早くストロークを描く操作をフリックと呼ぶ。フリックは、タッチパネル１０８上に指をタッチしたままある程度の距離だけ素早く動かして、そのまま離すといった操作であり、言い換えればタッチパネル１０８上を指ではじくように素早くなぞる操作である。制御部１０１は、所定距離以上を所定速度以上でタッチムーブしたことを検出し、そのままタッチアップを検出すると、フリックが行われたと判定する。また、制御部１０１は、所定距離以上を所定速度未満でタッチムーブしたことを検出した場合には、ドラッグが行われたと判定する。
【００２３】
押圧センサ１０９は、タッチ操作の強度を検出するためのセンサであり、表示部１０７（タッチパネル１０８）の操作面に対する押圧力を検出する。押圧センサ１０９は、表示部１０７に対するタッチ操作によって押圧された場合の押圧力の強度を連続的に検出することができる。本実施形態においては、押圧センサ１０９は、表示部１０７（タッチパネル１０８）と平行に備えられた静電容量センサであるものとする。この静電容量センサにより、表示部１０７（タッチパネル１０８）の操作面に対する押圧力によって操作面が歪んだことによる、操作面上の指と静電容量センサとの距離を静電容量値から算出する。そして、この距離に基づいて圧力を算出するか、あるいは距離を圧力と同等に扱う。距離を算出しなくとも、静電容量値の変化量を圧力と同等に扱っても良い。押圧センサ１０９の静電容量センサ、およびタッチパネル１０８の静電容量センサはそれぞれ別個の独立したセンサであってもよいし、同じ静電容量センサを用いてタッチと押圧操作との双方を判定するようにしてもよい。以下、表示部１０７の操作面に対する押圧操作をタッチプッシュと称する。
【００２４】
なお、押圧センサ１０９として他の方式を採用してもよい。例えば、表示部１０７の操作面に対する押圧力によって歪む部分に、１つまたは複数の歪みゲージセンサを設置し、この歪みゲージセンサからの出力値によって表示部１０７（タッチパネル１０８）の操作面に対する押圧力の圧力検出を行う構成としてもよい。また、押圧センサ１０９は、タッチパネル１０８の操作面に対する押圧力を検出可能なものであれば、他の方式のものでもよい。例えば、スタイラスを用いて操作面に対する操作を行うのであれば、スタイラス側に設けられたスタイラスの先端部にかかる圧力を検出するセンサでもよく、そのセンサからの出力に基づいてタッチ操作の強度（押圧力）を検出してもよい。また、操作面へのタッチの力またはタッチの圧力の代替物（例えば上述の操作面上の指と静電容量センサとの距離）を検出するものでもよい。また、様々な方法、及び様々なセンサ、または複数のセンサの組合せ（例えば加重平均によって）を使用してタッチ操作の強度（圧力）を検出してもよい。押圧センサ１０９は、タッチパネル１０８と一体に構成されるものであってもよい。
【００２５】
次に、本実施形態の電子機器によるタッチおよび押圧操作に応じて実行される所定の処理について、図２および図３を参照して説明する。
【００２６】
図２（ａ）は、本実施形態の電子機器における押圧センサ１０９が検出する静電容量の変化を示す図である。また、図２（ｂ）は、本実施形態の電子機器における押圧センサ１０９が検出する静電容量の変化率を示す図である。図２（ａ）及び図２（ｂ）において、横軸は時間ｔを表している。また、図２（ａ）における縦軸は、押圧センサ１０９が検出する静電容量の出力値である静電容量出力値Ｃ（基準値からの変化量）を表し、図２（ｂ）における縦軸は、静電容量出力値Ｃの変化率である静電容量変化率Ｖを表す。また、図２（ａ）における縦軸の最も下の位置は基準値であり、キャリブレーション（校正）処理または環境によって変動する変数である。基本的には、操作面に指を触れても近づけてもいない状態で、基準値となるようにキャリブレーションされている。静電容量変化率Ｖは、前述の通り、制御部１０１によって算出される。
【００２７】
図２（ａ）において一点鎖線で示される閾値ＴCは、タッチパネル１０８に対する押圧操作を検出するための静電容量出力値Ｃの閾値である。静電容量出力値Ｃが、基準値よりも閾値ＴC超高くなると、制御部１０１は押圧操作があったものと判定し、押圧操作に応じた処理を行う。つまり、静電容量出力値Ｃが閾値ＴCを超えると、制御部１０１はタッチパネル１０８に対する押圧操作を検出する。
【００２８】
図２（ｂ）において一点鎖線で示される閾値ＴVは、タッチパネル１０８に対するタッチまたは押圧に応じて実行される処理を決定するための静電容量変化率Ｖの閾値である。静電容量変化率Ｖが閾値ＴVを超えると、後述する図３の制御フローにおける処理１を実行せずに処理２を実行するフローに移行する。
【００２９】
図２（ａ）の時間ｔ11〜ｔ15の間は、タッチパネル１０８に対してタッチ操作する場合の静電容量出力値Ｃの変化を示している。使用者が指やペンをタッチパネル１０８に対して近づけていき、所定の距離まで近づくと、押圧センサ１０９に対する指やペンの距離に応じて静電容量出力値Ｃは大きくなり始める。例えば時間ｔ11において、指やペンをタッチパネル１０８に近づいていることから、静電容量出力値Ｃが変化し始める。そして、時間ｔ12において、指やペンがタッチパネル１０８に接触してタッチダウンされ、静電容量出力値Ｃ＝Ｃ1において制御部１０１はタッチパネル１０８に対するタッチオンを検出する。その後、使用者は、指やペンがタッチパネル１０８に接触する瞬間に指やペンの動きを止めることができず、タッチパネル１０８はわずかに押圧されて表面が撓む。これに伴い、指と押圧センサ１０９との距離がタッチダウンの瞬間よりも縮まるため、時間ｔ13で静電容量出力値Ｃ＝Ｃ2となる。そして、それ以上タッチパネルは押圧されないため、時間ｔ13〜ｔ14において、静電容量出力値Ｃ＝Ｃ2で一定となる。
【００３０】
一方、時間ｔ11〜ｔ15の間の静電容量変化率Ｖは以下のようなパターンを示す。図２（ｂ）に示すように、時間ｔ11〜ｔ13の間、静電容量出力値Ｃはほぼ一定の静電容量変化率Ｖ（＝Ｖ1）で増加する。そして、静電容量出力値Ｃ＝Ｃ2で一定となっている間は、静電容量変化率Ｖは０となる。その後、時間ｔ14で使用者がタッチパネル１０８からタッチアップを開始すると、押圧センサ１０９に対する指やペンの距離が広がっていくので、静電容量出力値Ｃはほぼ一定の静電容量変化率Ｖ（＝−Ｖ1）で減少していく。そして、時間ｔ15において、静電容量出力値Ｃは基準値となる。
【００３１】
一方、図２（ａ）の時間ｔ21〜ｔ26の間は、タッチパネル１０８に対して押圧操作する場合の静電容量出力値Ｃの変化を示している。使用者が指やペンをタッチパネル１０８に対して近づけていき所定の距離まで近づくと、タッチ時と同様に押圧センサ１０９に対する指やペンの距離に応じて静電容量出力値Ｃは大きくなり始める。例えば時間ｔ21において、指やペンをタッチパネル１０８に近づいていることから、静電容量出力値Ｃが変化し始める。そして、時間ｔ22において、指やペンがタッチパネル１０８に接触してタッチダウンされ、静電容量出力値Ｃ＝Ｃ1において制御部１０１はタッチパネル１０８に対するタッチオンを検出する。その後、時間ｔ23において、静電容量出力値Ｃが閾値ＴCを超えると、制御部１０１はタッチパネル１０８に対する押圧操作を検出する。なお、タッチパネル１０８に対するタッチ操作と押圧操作とを区別するために、閾値ＴCは、前述したＣ1、Ｃ2よりも大きい値に設定される。そして、押圧操作を検出した後、さらに押圧されてタッチパネル１０８の表面が撓み、時間ｔ24で静電容量出力値Ｃ＝Ｃ3となる。そして、それ以上タッチパネルは押圧されないため、時間ｔ24〜ｔ25において、静電容量出力値Ｃ＝Ｃ3で一定となる。なお、時間ｔ22において静電容量出力値Ｃがタッチダウン時の静電容量出力値Ｃ（＝Ｃ1）を超えるが、後述する図３に示す処理手順によって、制御部１０１はタッチパネル１０８へのタッチに応じて実行される処理である処理１を実行しない。
【００３２】
一方、時間ｔ21〜ｔ26の間の静電容量変化率Ｖは以下のようなパターンを示す。図２（ｂ）に示すように、時間ｔ21〜ｔ24の間、静電容量変化率Ｖは、タッチ時の静電容量変化率Ｖ（＝Ｖ1）よりも大きく、且つほぼ一定の値Ｖ2（＞Ｖ1）で増加する。
【００３３】
使用者がタッチパネル１０８に対してタッチする場合、使用者はタッチパネル１０８の表面を触るように指を近づけていくため、比較的ゆっくりと指を近づけ、タッチパネル１０８の表面を狙ってタッチオンする。一方、使用者がタッチパネル１０８に対して押圧する場合は、使用者はタッチパネル１０８を押し込む位置で表面より奥を狙って指を押し込むため、タッチ時よりも短い時間で強くタッチパネル１０８に接触する。そのため、タッチ時の静電容量変化率よりも押圧操作時の静電容量変化率の方が大きい値となり、静電容量変化率の閾値ＴVはＶ1とＶ2との間の値に設定される。
【００３４】
よって、静電容量変化率Ｖが閾値ＴV以下である場合は、制御部１０１は使用者がタッチパネル１０８に対してタッチしようとしていると判断することができる。また、静電容量変化率Ｖが閾値ＴVよりも大きい場合、制御部１０１は使用者がタッチパネル１０８に対して押圧しようとしていると判断することができる。
【００３５】
そして、タッチパネル１０８からタッチアップするために、時間ｔ25から、使用者はタッチパネル１０８の表面での指の押圧を小さくしていき、タッチ時と同様に押圧センサ１０９に対する指の距離が広がっていく。その後、静電容量出力値は減少していき、タッチオフで基準値となる（時間ｔ26）。図２（ｂ）に示すように、時間ｔ25〜ｔ26の間、静電容量出力値はほぼ一定の静電容量変化率Ｖ（＝−Ｖ2）で減少する。
【００３６】
図３に、タッチ操作及びタッチプッシュ操作に応じた処理フローチャートを示す。この処理は、記録媒体１０６に記録されたプログラムをメモリ１０５に展開して制御部１０１が実行することにより実現する。なお、以下の説明において、静電容量出力値Ｃとは、環境（温度など）によって変動する静電容量の出力値を、使用環境に合わせてキャリブレーション（調整、校正）した後の基準値（ベースライン）からの変化量のことであるものとする。すなわち、静電容量出力値Ｃは、静電容量の出力生値から基準値を差し引いたものである。
【００３７】
Ｓ３０１では、制御部１０１は、タッチダウンがあったか否かを判定する。なお、タッチパネル１０８と押圧センサ１０９とがそれぞれ別個のセンサである場合には、Ｓ３０１では、タッチパネル１０８からの出力に基づいて判定される。タッチパネル１０８と押圧センサ１０９とで同じ静電容量センサを用いている場合には、基準値からの静電容量の増加量が図２（ａ）のＣ1以上となった場合にタッチダウンがあったと判定する。タッチダウンがあった場合はＳ３０２に進み、そうでない場合はタッチダウンがあるのを待つ。
【００３８】
Ｓ３０２では、制御部１０１は、タッチダウンがあった時点のタッチ位置である、タッチダウン位置Ｐ０を取得し、メモリ１０５に保持する。
【００３９】
Ｓ３０３では、制御部１０１は、Ｓ３０１でタッチダウンがあったと判定してからの経過時間が閾値時間ｔ0（所定の時間）以上となったか否かを判定する。閾値時間ｔ０は２００ｍｓｅｃ程度である。タッチしていない状態からすぐにタッチプッシュを行おうとする操作の場合でも、タッチプッシュと判定される静電容量出力値Ｃ≧閾値ＴCとなる前に、指の接触過程での重心の変化などによりタッチ位置の移動が検出される場合がある。しかしこれはユーザーの意図的な移動操作ではないため、この移動による処理の実行を抑制するため、経過時間が閾値時間ｔ0に達するまではタッチムーブに応じた処理（処理１）を実行しないようにしている。タッチダウンがあったと判定してからの経過時間が閾値時間ｔ０以上となった場合にはＳ３１０に進み、そうでない場合にはＳ３０４に進む。なお、閾値時間ｔ0をなるべく短い時間とすることで、タッチダウンしてから処理１が行われるまでのタイムラグが少なくなり、ユーザーの操作に対する応答性の劣化を低減できる。一方で、短くし過ぎるとタッチプッシュを行う指の接触過程での重心の変化などによるタッチ位置の変化による処理を抑制できない。従って、閾値時間ｔ０は５０ｍｓｅｃ以上３００ｍｓｅｃ未満が望ましい。
【００４０】
Ｓ３０４では、制御部１０１は、静電容量出力値Ｃ≧閾値ＴCとなったか否かを判定する。この処理は言いかえれば、タッチ操作による荷重圧力がタッチプッシュと判定する閾値に達したか否かの判定である。静電容量出力値Ｃ≧閾値ＴCとなった場合にはＳ３０６に進み、そうでない場合にはＳ３０５に進む。
【００４１】
Ｓ３０５では、制御部１０１は、タッチアップがあったか否かを判定する。タッチアップが無い場合にはＳ３０３に戻り、タッチアップがあった場合にはＳ３１６に進んでタッチアップに応じた処理を実行する。
【００４２】
Ｓ３０６では、制御部１０１は、タッチプッシュ処理（処理２）を実行する。例えば、表示された画像のうち、拡大位置指定インジケータの表示された位置に対応する範囲を所定の拡大率で拡大表示する。タッチプッシュ処理の他の例は後述する。
【００４３】
Ｓ３０７では、制御部１０１は、タッチアップがあったか否かを判定する。タッチアップがあった場合はＳ３０９に進み、そうでない場合にはＳ３０８に進む。
【００４４】
Ｓ３０８では、制御部１０１は、タッチプッシュ操作のキーリピート条件を満たすか否かを判定する。キーリピート条件とは、例えば、静電容量出力値Ｃ≧閾値ＴCを保ったまま、キーリピート間隔時間を経過することである。キーリピート間隔は、初回間隔を初回以降の間隔よりも長くするとよい。例えば、初回間隔を２秒、初回以降の間隔を０．５秒程度とするとよい。キーリピート条件を満たした場合にはＳ３０６に進んで、キーリピートとしてタッチプッシュ処理を行う。例えば、拡大位置指定インジケータの表示された位置に対応する範囲を更に拡大表示する。キーリピート条件を満たしていない場合にはＳ３０７の処理に戻る。なお、タッチプッシュ処理がキーリピートを行うべき機能でない場合には、Ｓ３０８の処理は行わず、Ｓ３０７でタッチアップを待つ。
【００４５】
Ｓ３０９では、電源オフや他の動作モードへの移行などの終了イベントがあったか否かを判定する。終了イベントがあった場合には図３の処理を終了し、そうでない場合にはＳ３０１に戻って処理を繰り返す。
【００４６】
Ｓ３１０では、制御部１０１は、タッチダウン処理を実行する。例えば、拡大位置指定インジケータを現在のタッチ位置Ｐに対応する位置に表示する。本実施形態では、タッチダウンからの経過時間が閾値時間ｔ0に達してからタッチダウン処理を行い、閾値時間ｔ０に達する前にはタッチダウン処理は行わない。これは、タッチオフの状態から一気にタッチプッシュを行おうとする操作の過程における、ユーザーの意図しないタッチ位置に基づく処理を抑制するためである。例えば、タッチオフの状態から一気にタッチプッシュを行う場合、タッチプッシュの過程で拡大位置指定インジケータが移動してしまうことを防止し、ユーザーが調整済みのタッチオフの時に表示されていた拡大位置指定インジケータの位置で拡大することができる。タッチダウン処理が、タッチ位置に基づいた処理であり、タッチプッシュ処理に影響を及ぼす、あるいは、タッチアップ後にも引き継がれる処理である場合には、このよう閾値時間ｔ0に達してから実行すると良い。逆に、タッチダウン処理が、タッチ位置に基づかない処理、タッチプッシュ処理に影響を及ぼさない処理、あるいは、タッチアップ後に引き継がれない処理である場合は、閾値時間ｔ0に達することを待たずにＳ３０３がＹｅｓと判定される前にタッチダウン処理を行っても良い。例えば、タッチダウンされたことを示す表示形態の変更だけの処理（タッチダウン表示）などであれば、Ｓ３０２と同じタイミングで実行してもよい。
【００４７】
Ｓ３１１では、制御部１０１は、前述の静電容量変化率Ｖが閾値ＴV以上か否かを判定する。静電容量変化率Ｖが閾値ＴV以上である場合はＳ３１２に進み、タッチムーブがあったか否かの判定は行わない。すなわち、タッチ位置の移動に応じた処理を行わない。電容量変化率Ｖが閾値ＴV未満である場合はＳ３１３に進む。
【００４８】
Ｓ３１２では、Ｓ３０４と同様に、静電容量出力値Ｃ≧閾値ＴCとなったか否かを判定する。静電容量出力値Ｃ≧閾値ＴCとなった場合にはＳ３０６に進み、そうでない場合にはＳ３１５に進む。
【００４９】
Ｓ３１３では、制御部１０１は、タッチムーブがあったか否かを判定する。ここで、Ｓ３０３がＹｅｓとなってから最初の判定では、タッチダウン位置Ｐ０からタッチムーブがあったか否かを判定する。タッチムーブがあったと判定した場合にはＳ３１４に進み、そうでない場合にはＳ３１５に進む。
【００５０】
Ｓ３１４では、タッチ位置の移動に応じてタッチムーブ処理（処理１）を行う。例えば、拡大位置指定インジケータを、タッチ位置の移動に追従して移動させる。ここで、少なくともＳ３０３がＹｅｓとなってから最初の処理では、タッチ位置の移動量は、タッチダウン位置Ｐ０からの移動量として処理を行う。これによって、タッチダウンからの経過時間が閾値時間ｔ0に達する前のタッチ位置の移動量分も反映させ、ユーザーの指の実際の指の移動量に対応させた違和感の無い処理とすることができる。なお、Ｓ３１４の処理は、静電容量変化率Ｖが閾値ＴV以上である場合は行わない。これによって、タッチプッシュを行おうとする操作の過程における、ユーザーの意図しないタッチ位置の移動に基づく処理を抑制することができる。
【００５１】
Ｓ３１５では、制御部１０１は、タッチアップがあったか否かを判定する。タッチアップがあった場合にはＳ３１６に進み、そうでない場合にはＳ３１１に進む。
【００５２】
Ｓ３１６では、制御部１０１は、タッチアップ処理を行う。例えば、タッチプッシュもタッチムーブの無かった場合のタッチアップに応じて、表示された画像に対する処理アイコン（画質調整、削除、共有などを指示するアイコン等）の表示と非表示を切り替える。
【００５３】
以上のように、タッチ操作または押圧操作に応じた所定の処理を実行する電子機器おいて、処理１または処理２を誤動作なく実行することができる。次に、図４〜図９を参照しながら、処理１、処理２の具体例を説明する。
【００５４】
図４は、アイテムを選択する場合の処理１、処理２の概要を説明するための図である。図４（ａ）は、処理１または処理２を実行する前の状態を示し、図４（ｂ）は、処理１を実行した後の状態を示し、図４（ｃ）は、処理２を実行した後の状態を示す。
【００５５】
図４に示す例では、アイテムを選択する処理を処理１とし、選択したアイテムの詳細を表示する処理を処理２としている。まず、図４（ａ）に示す画面において、使用者は表示部１０７上に表示されたアイテム４０１、４０２の何れかを指またはペンでタッチダウンする。例えば、アイテム４０２の表示位置をタッチダウンし、所定の時間ｔ0が経過した場合、制御部１０１は、アイテム４０２へのタッチダウンに基づいて、処理１としてアイテム４０２の選択を実行する。そして、図４（ｂ）に示すように、制御部１０１は、アイテム４０２をハイライト表示させる。
【００５６】
また、アイテム４０２の表示位置を押圧し、前述の条件を満たした場合、制御部１０１は、アイテム４０２への押圧操作を検出し、処理２としてアイテム４０２の詳細表示を実行する。そして、図４（ｃ）に示すように、アイテム４０２の表示位置の上にアイテム４０２の詳細表示４０３を表示させる。
【００５７】
一方、アイテム４０２の表示位置を正確に押圧することができず、アイテム４０２直上のアイテム４０１の表示位置も含めてタッチしてしまう場合がある。この場合、アイテム４０１の表示位置に指やペンが接触することで、制御部１０１はアイテム４０１の表示位置においてタッチダウンを検出してしまう。しかしながら、所定の時間ｔ0が経過する前に前述の条件を満たせば、制御部１０１は、アイテム４０２への押圧操作と判断し、処理２としてアイテム４０２の詳細表示を実行する。そのため、使用者が意図したアイテム４０２の詳細表示よりも先にアイテム４０１の選択が実行されるような誤動作を防止することができる。
【００５８】
図５は、画像を拡大する場合の処理１、処理２の概要を説明するための図である。図５（ａ）は、処理１または処理２を実行する前の状態を示し、図５（ｂ）は、処理１を実行した後の状態を示し、図５（ｃ）は、処理２を実行した後の状態を示す。
【００５９】
図５に示す例では、拡大位置を指定する処理を処理１とし、指定した位置で拡大表示する処理を処理２としている。まず、図５（ａ）に示す画面において、使用者は表示部１０７上に表示された画像５０１の拡大したい位置を指またはペンでタッチダウンする。制御部１０１はタッチパネル１０８へのタッチダウンを検出し、所定の時間ｔ0が経過した場合に、処理１として拡大位置を指定する。これにより、図５（ｂ）に示すように、制御部１０１は、使用者がタッチした位置において画像５０１に対する拡大指定枠５０２を表示させる。
【００６０】
また、さらに処理２である拡大表示を実行する場合に、使用者は拡大指定枠５０２の表示位置を押圧する。これにより制御部１０１はタッチパネル１０８への押圧操作を検出し、図５（ｃ）に示すように、制御部１０１は、拡大指定枠５０２の範囲内を表示部１０７に拡大表示５０３させる。
【００６１】
一方、拡大指定枠５０２の表示位置を正確に押圧することができず、拡大指定枠５０２とは異なる位置をタッチしてしまう場合がある。この場合、タッチパネル１０８に指やペンが接触したことで、制御部１０１は拡大指定枠５０２とは異なる位置においてタッチダウンを検出するが、閾値時間ｔ0が経過する前に処理１は実行されない。本実施形態では、図３に示すように、処理１を実行した後にタッチムーブせず、かつ静電容量出力値Ｃが閾値ＴCを超えるような押圧を検出した場合には、そのまま処理２を実行する。したがって、拡大指定枠５０２における拡大表示５０３を行う前に、拡大指定枠５０２が使用者の意図した位置から移動してしまうような誤動作を防止できる。
【００６２】
図６は、動画の再生位置の指定および再生における処理１、処理２の概要を説明するための図である。図６（ａ）は、処理１または処理２を実行する前の状態を示し、図６（ｂ）は、処理１を実行した後の状態を示し、図６（ｃ）は、処理２を実行した後の状態を示す。
【００６３】
図６に示す例では、動画の再生開始位置を指定する処理を処理１とし、指定された位置から動画を再生する処理を処理２としている。まず、図６（ａ）に示す画面において、使用者は表示部１０７上に表示された再生位置バー６０１上の所望の位置を指またはペンでタッチダウンする。制御部１０１はタッチパネル１０８へのタッチダウンを検出し、閾値時間ｔ0が経過した場合に、処理１として再生位置の指定を実行する。これにより、図６（ｂ）に示すように、動画の再生位置を示す位置指標６０２を使用者がタッチした位置へ移動する。このとき、動画は停止状態であり、表示部１０７上には動画の停止状態を示す停止指標６０３が表示される。
【００６４】
また、さらに処理２である動画の再生を実行する場合に、使用者は位置指標６０２の表示位置を押圧する。これにより制御部１０１はタッチパネル１０８への押圧操作を検出し、処理２として位置指標６０２の表示位置から動画を再生する。そして、動画の状態が停止から再生に変更されたことで、図６（ｃ）に示すように、停止指標６０３は動画の再生状態を示す再生指標６０４に変更される。
【００６５】
一方、位置指標６０２の表示位置を正確に押圧することができず、位置指標６０２とは異なる位置をタッチしてしまう場合がある。この場合、タッチパネル１０８に指やペンが接触したことで、制御部１０１は位置指標６０２とは異なる位置においてタッチダウンを検出するが、閾値時間ｔ0が経過する前に処理１は実行されない。この場合も、処理１を実行した後にタッチムーブせず、かつ静電容量出力値Ｃが閾値ＴCを超えるような押圧を検出した場合には、そのまま処理２を実行する。したがって、位置指標６０２に対応した動画の再生よりも先に、位置指標６０２が使用者の意図した位置から移動してしまうことを防止できる。なお、図６に示した例は処理１を再生位置の指定処理、処理２を動画の再生処理としたが、処理１を音量増減の指定処理、処理２を音楽の再生処理とした場合でも同様に実施できる。
【００６６】
図７は、文字の入力またはカーソル移動に関する処理１、処理２の概要を説明するための図である。図７（ａ）は、処理１または処理２を実行する前の状態を示し、図７（ｂ）は、処理１を実行した後の状態を示し、図７（ｃ）は、処理２を実行した後の状態を示す。
【００６７】
図７に示す例では、文字の入力を実行する処理を処理１とし、カーソル移動を実行する処理を処理２としている。まず、図７（ａ）に示すように、使用者は表示部１０７上に表示された文字入力パッド７０１上の入力したい文字が表示された位置をタッチダウンする。制御部１０１はタッチパネル１０８へのタッチダウンを検出し、閾値時間ｔ0が経過した場合に、処理１として文字入力を実行する。これにより、図７（ｂ）に示すように、カーソル７０２の位置に文字７０３が入力される。
【００６８】
また、使用者が文字入力パッド７０１上を指またはペンで押圧し、前述の条件を満たした場合、制御部１０１はタッチパネル１０８への押圧操作を検出し、処理２として文字入力パッド７０１の押圧位置に対応した位置へカーソル７０２を移動する。例えば、図７（ａ）において「か」の右隣に位置するカーソル７０２を図７（ｃ）に示すように「な」の右隣に移動したい場合、使用者は文字入力パッド７０１の「さ」の領域を押圧すればよい。なお、文字入力パッド７０１の左側から右側に向かって押圧状態を保ったままドラッグすることでも、カーソル７０２を「な」の右隣に移動できるようにしてもよい。
【００６９】
一方、文字入力パッド７０１を押圧する際に、タッチパネル１０８に指やペンが接触することで、制御部１０１は押圧操作を検出する前にタッチダウンを検出する。しかしながら、閾値時間ｔ0が経過する前に前述の条件を満たせば、制御部１０１は、処理２であるカーソル移動を実行する。これにより、使用者が意図したカーソル移動よりも先に、文字入力が実行され、使用者の意図に反して文字が入力されるような誤動作を防止することができる。
【００７０】
図８は、文字の入力または文字入力モードの切替に関する処理１、処理２の概要を説明するための図である。図８（ａ）は、処理１または処理２を実行する前の状態を示し、図８（ｂ）は、処理１を実行した後の状態を示し、図８（ｃ）は、処理２を実行した後の状態を示す。
【００７１】
図８に示す例では、文字の入力を実行する処理を処理１とし、文字入力モードを切り替える処理を処理２としている。まず、図８（ａ）に示すように、図７（ａ）と同様に使用者は表示部１０７上に表示された文字入力パッド７０１上の入力したい文字が表示された位置をタッチダウンする。制御部１０１はタッチパネル１０８へのタッチダウンを検出し、閾値時間ｔ0が経過した場合に、処理１として文字入力を実行する。これにより、図８（ｂ）に示すように、カーソル７０２の位置に文字８０２が入力される。入力される文字８０２は、文字入力パッド７０１上のタッチ位置と文字入力モードによって決まる。例えば、図８（ｂ）に示すように、文字入力モード表示８０１が「あ」で表示されるひらがな入力モードであれば、カーソル７０２の位置にはひらがなが入力される。
【００７２】
また、使用者が文字入力パッド７０１上の任意の位置を押圧し、前述の条件を満たした場合、制御部１０１はタッチパネル１０８への押圧操作を検出し、処理２として文字入力モードの切替処理を実行する。具体的には、図８（ｃ）に示すように、文字入力モード表示８０１の表記を変更する。図８（ｃ）に示す例では、ひらがな入力モードから英字入力モードに切り替わる場合を図示しており、文字入力モード表示８０１の表記は「Ａ」に変更される。
【００７３】
一方、タッチパネル１０８に指やペンが接触することで、制御部１０１は押圧操作を検出する前にタッチダウンを検出する。しかしながら、閾値時間ｔ0が経過する前に前述の条件を満たせば、制御部１０１は、処理２である文字入力モードの切替を実行する。これにより、使用者が意図した文字入力モードの切替よりも先に、文字入力が実行され、使用者の意図に反して文字が入力されるような誤動作を防止することができる。
【００７４】
図９は、測距点の選択及び測距の実行に係る処理１、処理２の概要を説明するための図である。図９（ａ）は、処理１または処理２を実行する前の状態を示し、図９（ｂ）は、処理１を実行した後の状態を示し、図９（ｃ）は、処理２を実行した後の状態を示す。
【００７５】
図９に示す例では、測距点を選択する処理を処理１とし、測距を実行する処理を処理２としている。まず、図９（ａ）に示すように、使用者は表示部１０７上に表示された所望の測距枠９０１を指またはペンでタッチダウンする。制御部１０１はタッチパネル１０８へのタッチダウンを検出し、閾値時間ｔ0が経過した場合に、処理１として測距枠９０１において測距点の選択を実行する。これにより、図９（ｂ）に示すように、測距枠９０１がハイライト表示される。
【００７６】
また、さらに処理２である測距を実行する場合、使用者は表示部１０７上の選択した測距枠９０１の位置を押圧する。これにより、制御部１０１はタッチパネル１０８への押圧操作を検出し、処理２として測距を実行する。図８（ｃ）に示す例では、測距の実行後、使用者が選択した測距枠９０１のみが表示され、使用者は意図した測距枠において測距が実行されたことを確認できる。
【００７７】
一方、測距枠９０１の表示位置を正確に押圧することができず、測距枠９０１とは異なる位置（例えば測距枠９０２）もタッチしてしまう場合がある。この場合、タッチパネル１０８に指やペンが接触したことで、制御部１０１は測距枠９０１とは異なる測距枠９０２においてタッチオンを検出するが、所定の時間ｔ0が経過する前に処理１は実行されない。本実施形態では、図３に示すように、処理１を実行した後にタッチムーブせず、かつ静電容量出力値Ｃが閾値ＴCを超えるような押圧を検出した場合には、そのまま処理２を実行する。したがって、測距枠９０１における測距の実行よりも先に、測距枠９０２における測距点の選択が実行されてしまうような誤動作を防止することができる。
【００７８】
（第２の実施形態）
第１の実施形態では、電子機器１００としてスマートフォンを例に説明した。本実施形態では、電子機器１００として撮像装置に適用した例について説明する。なお、内部構成および処理手順等については、それぞれ図１（ａ）、図２及び図３と同様である。
【００７９】
以下、図１０（ａ）及び図１０（ｂ）を用いて、本発明を撮像手段を有する撮像装置に適用し、処理１として測距点の選択処理、処理２として測距の実行処理とした例を説明する。
【００８０】
図１０（ａ）は、本実施形態の撮像装置の前面斜視図であり、図１０（ｂ）は、本実施形態の撮像装置の背面斜視図である。
図１０（ａ）において、グリップ部１００１は、使用者が撮影時などにカメラ本体１０００を手で把持する把持部である。カメラ本体１０００を把持している状態で、グリップ部１００１の上部で、カメラ本体１０００の上面であり、被写体側寄りの、人差し指が届く範囲で操作可能な部分に、タッチ操作部材１０１２が配設されている。タッチ操作部材１０１２の詳細については後述する。
【００８１】
マウント１０１４は不図示の撮影レンズユニットをカメラ本体１０００に装着するリング状の金属部材である。マウント１０１４の内側にはマウント接点１０１３がマウント１０１４と同心円状に複数の接点を持って配設されている。
【００８２】
ファインダ接眼窓１００７は、ファインダユニットの被写体と反対側に取付けられており、撮影者が覗くことで撮影レンズユニットおよびファインダユニットを介した被写体像を観察することができる。表示部材１００９はＴＦＴ液晶表示装置からなり、各種カメラ設定などのメニュー設定操作、撮影画像の再生、ライブビュー撮影時のスルー画像などの表示を行う表示装置である。表示部材１００９は、図１（ａ）の表示部１０７に該当する。
【００８３】
カメラ本体１０００の背面部には、グリップ部１００１を把持している状態で親指で操作可能な部分に、測距点選択ボタン１０１０および撮影モード切り替えボタン１０１１が配設されている。また、背面部の表示部材１００９の右側に配設されているメニューボタン１０１５、再生ボタン１０１６を押下することで、表示部材１００９を確認しながらメニュー設定操作、撮影画像の再生を行うことができる。
【００８４】
タッチ操作部材１０１２は、撮像装置の外部筐体の一部がタッチ操作可能な状態で構成された操作部材であり、タッチ操作領域１０１２ａの範囲で操作が可能となっている。本実施形態では、タッチ操作部材１０１２においてタッチパネル１０８及び押圧センサ１０９も搭載されており、第１の実施形態と同様に押圧操作等を検出することができる。
【００８５】
例えば、図９に示した測距点（焦点調節位置）の選択及び測距（選択された焦点調節位置でのオートフォーカス）の実行は、使用者がタッチ操作部材１０１２をタッチ操作又は押圧操作することによって同様に指示することができる。また、図９に示した例では、処理１として測距点の選択処理、処理２として測距の実行処理としたが、さらに処理２の基準となる押圧よりもさらに強い押圧を検出した場合に、処理３として静止画の撮影処理を行うようにしてもよい。つまり、閾値ＴC、閾値ＴVよりも高い閾値をそれぞれ設け、これらの閾値を超えた場合に処理３を実行するようにする。この場合、図３のＳ３０６とＳ３０７の間に、制御部１０１が、静電容量出力値Ｃが閾値ＴCよりも高い所定の閾値を超えたか否かを判定する処理を行う。そして、その閾値を超えた場合は処理３を行ってＳ３０７に進み、そうでない場合はそのままＳ３０７に進むようにする。また、処理１として測距点の選択処理、あるいは追尾対象の選択処理とし、処理２として静止画の撮影処理を行うようにしてもよい。
【００８６】
このようにタッチ操作部材を設けることによって、外部筐体にボタン設定用の穴を設ける必要が無く、防塵防滴性能がよく、外観意匠の自由度を向上した撮像装置を提供することができる。また撮影者が撮像装置を把持した際に、自然に人差し指がおかれる位置にタッチ操作領域１０１２ａを設定することで、カメラ設定変更などでタッチ操作を行う際にも、人差し指の位置を変える必要がなく、常に安定した把持状態を維持することが可能になる。そのため、操作性が良くかつ瞬時に撮影動作に移ることができ、決定的瞬間を取り逃さない撮像装置を提供することができる。
【００８７】
（その他の実施形態）
なお、制御部１０１が行うものとして説明した上述の各種制御は１つのハードウェアが行ってもよいし、複数のハードウェア（例えば、複数のプロセッサーや回路）が処理を分担することで、装置全体の制御を行ってもよい。また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８８】
また、上述した実施形態においては、本発明をスマートフォンおよび撮像装置に適用した場合を例にして説明したが、これはこの例に限定されず、タッチパネルおよび押圧センサを搭載した電子機器であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００８９】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９０】
１０１  制御部
１０７  表示部
１０８  タッチパネル
１０９  押圧センサ
【図１】
2019215799.tif 000003
【図２】
2019215799.tif 000004
【図３】
2019215799.tif 000005
【図４】
2019215799.tif 000006
【図５】
2019215799.tif 000007
【図６】
2019215799.tif 000008
【図７】
2019215799.tif 000009
【図８】
2019215799.tif 000010
【図９】
2019215799.tif 000011
【図１０】
2019215799.tif 000012